(57)【要約】【課題】  十分な強度を備える地下貯水槽を構築するためのコンクリートブロックを提供する。【解決手段】  コンクリートブロック１０は、第１の立壁１１と、その一方の側端部１１ａから、第１の立壁１１の表裏方向のいずれか一方の方向に、所定の角度１４を有して折れ曲がるように延設される第２の立壁１２と、第１の立壁１１の他方の側端部１１ｂから、第２の立壁１２が折れ曲がる方向と同一方向に、所定の角度１５を有して折れ曲がるように延設される、第３の立壁１３とを備える。ここで、第２の立壁１２と第３の立壁１３とは、先端側ほど離れるように拡がって、それらの先端部１２ａ、１３ａ間の離間寸法が、基端部１２ｂ、１３ｂ間の離間寸法よりも大きくなっている。そして、このコンクリートブロック１０は、複数が相互に連結されて、地下貯水槽３の貯水部４を形成する。【選択図】  図２
2006097365.tif 000002
【特許請求の範囲】
【請求項１】
地中に埋設される地下貯水槽の貯水部を形成すべく、隣接する他のコンクリートブロックと連結される、コンクリートブロックであって、
第１の立壁と、その第１の立壁の一方の側端部から、前記第１の立壁の表裏方向のいずれか一方の方向に、所定の角度を有して折れ曲がるように延設される、第２の立壁と、
前記第１の立壁の他方の側端部から、前記第２の立壁が折れ曲がる方向と同一方向に、所定の角度を有して折れ曲がるように延設される、第３の立壁とを備え、
前記第２の立壁と前記第３の立壁とは、先端側ほど離れるように拡がって、それら両立壁の先端部間の離間寸法が、基端部間の離間寸法よりも大きくなっていることを特徴とする、コンクリートブロック。
【請求項２】
前記第１、第２および第３の立壁のうちの少なくとも２つの立壁には、その立壁を表裏方向に貫通する貫通部が設けられていることを特徴とする、請求項１に記載のコンクリートブロック。
【請求項３】
前記貫通部は、前記立壁の下端において下方に開放していることを特徴とする、請求項２に記載のコンクリートブロック。
【請求項４】
前記第２の立壁の端面からなる第１の当接面は、前記第３の立壁の外面と平行であり、かつ、前記第３の立壁の端面からなる第２の当接面は、前記第２の立壁の外面と平行であることを特徴とする、請求項１ないし３のいずれか１項に記載のコンクリートブロック。
【請求項５】
前記第２の立壁の端面からなる第１の当接面、および、前記第３の立壁の端面からなる第２の当接面は、前記第１の立壁の外面と平行であることを特徴とする、請求項１ないし３のいずれか１項に記載のコンクリートブロック。
【請求項６】
前記第２の立壁の、先端部の内面および基端部の外面、並びに、前記第３の立壁の、先端部の内面および基端部の外面には、前記他のコンクリートブロックと連結するための連結具が取り付けられる取付部が設けられていることを特徴とする、請求項４または５に記載のコンクリートブロック。
【請求項７】
前記第１の立壁の両側端部の外面、並びに、前記第２の立壁および前記第３の立壁の先端側の外面には、前記他のコンクリートブロックと連結するための連結具が取り付けられる取付部が設けられていることを特徴とする、請求項４または５に記載のコンクリートブロック。
【請求項８】
前記第１の立壁の前記一方の側端部の外面、前記第２の立壁の先端部の内面、並びに、前記第３の立壁の先端部および基端部の外面には、前記他のコンクリートブロックと連結するための連結具が取り付けられる取付部が設けられていることを特徴とする、請求項４または５に記載のコンクリートブロック。
【請求項９】
前記第１の立壁の前記他方の側端部の外面、前記第２の立壁の先端部および基端部の外面、並びに、前記第３の立壁の先端部の内面には、前記他のコンクリートブロックと連結するための連結具が取り付けられる取付部が設けられていることを特徴とする、請求項４または５に記載のコンクリートブロック。
【請求項１０】
請求項４に記載のコンクリートブロックの連結構造であって、
前記第１の当接面を、他のコンクリートブロックにおける前記第３の立壁の基端部側の外面に当接させるか、もしくは、前記第２の当接面を、前記他のコンクリートブロックにおける前記第２の立壁の基端部側の外面に当接させるようにして、前記他のコンクリートブロックと連結するか、または、
前記第１の当接面を、前記他のコンクリートブロックにおける前記第３の立壁の基端部側の外面に当接させ、かつ、第２の当接面を、さらに他のコンクリートブロックにおける前記第２の立壁の基端部側の外面に当接させるようにして、前記他のコンクリートブロックおよびさらに他のコンクリートブロックの両方と連結することを特徴とする、コンクリートブロックの連結構造。
【請求項１１】
請求項５に記載のコンクリートブロックの連結構造であって、
前記第１の当接面を、他のコンクリートブロックにおける前記第１の立壁の前記他方の側端部側の外面に当接させるか、もしくは、前記第２の当接面を、前記他のコンクリートブロックにおける前記第１の立壁の前記一方の側端部側の外面に当接させるようにして、前記他のコンクリートブロックと連結するか、または、
前記第１の当接面を、前記他のコンクリートブロックにおける前記第１の立壁の前記他方の側端部側の外面に当接させ、かつ、前記第２の当接面を、さらに他のコンクリートブロックにおける前記第１の立壁の前記一方の側端部側の外面に当接させるようにして、前記他のコンクリートブロックおよびさらに他のコンクリートブロックの両方と連結することを特徴とする、コンクリートブロックの連結構造。
【請求項１２】
地中に埋設される地下貯水槽であって、
内部に水を貯えることができる多角柱形状の貯水室が複数隣接して並んだコンクリート製の構造体を備えた貯水部を有し、
その貯水部は、前記地下貯水槽の上壁を下方から支持することを特徴とする、地下貯水槽。
【請求項１３】
前記構造体は、内部に水を貯えることができる六角柱形状の貯水室が複数隣接して並んだ、蜂の巣形状を呈することを特徴とする、請求項１２に記載の地下貯水槽。
【請求項１４】
前記構造体は、請求項１ないし８のいずれか１項に記載のコンクリートブロックが複数相互に連結されて形成されることを特徴とする、請求項１３に記載の地下貯水槽。
【発明の詳細な説明】
【技術分野】
【０００１】
この発明は、地下貯水槽用のコンクリートブロック、そのコンクリートブロックの連結構造、および、地下貯水槽に関するものである。
【背景技術】
【０００２】
近年、都市部やその近郊等においては、地表の舗装率が高くなっており、雨が降った際には、その雨水は、地中にしみ込むことができず舗装面上を流れ、側溝に流れ込み、最終的に河川に流される。したがって、大量の雨が降った場合には、河川が急激に増水して、洪水等が発生する虞があった。このような洪水等の危険を防止するために、従来から、例えば、学校のグランド、公園、あるいは、駐車場等の公共の施設の地下部分に、地下貯水槽が埋設されることがあった。そして、大雨の際には、その雨水を地下貯水槽に溜めておき、その溜められた水を徐々に河川に放流したり、あるいは、農業用水等として利用したりしてきた。
【０００３】
このように、地下貯水槽は、洪水等の防止に非常に有効であるばかりか、地上部分を前述のとおり公園等の施設として利用できるので、土地を有効的に活用することができる。
【発明の開示】
【発明が解決しようとする課題】
【０００４】
しかしながら、地上部分を公園や駐車場等の施設として積極的に使用する地下貯水槽においては、効率的に水を貯えることばかりでなく、上方からの大きな負荷にも耐えうるだけの十分な強度を備えることが望まれる。
【０００５】
この発明は、上記要望を満たすためになされたものであり、その目的とするところは、大きな貯水空間を確保した上で十分な強度を備える地下貯水槽を構築するためのコンクリートブロック、そのコンクリートブロックの連結構造、および、地下貯水槽を提供することにある。
【課題を解決するための手段】
【０００６】
この発明に係る、コンクリートブロック、そのコンクリートブロックの連結構造、および、地下貯水槽は、前記目的を達成するために、次の構成からなる。すなわち、
請求項１に記載の発明に係るコンクリートブロックは、地中に埋設される地下貯水槽の貯水部を形成すべく、隣接する他のコンクリートブロックと連結される。このコンクリートブロックは、第１の立壁と、その第１の立壁の一方の側端部から、前記第１の立壁の表裏方向のいずれか一方の方向に、所定の角度を有して折れ曲がるように延設される第２の立壁と、前記第１の立壁の他方の側端部から、前記第２の立壁が折れ曲がる方向と同一方向に、所定の角度を有して折れ曲がるように延設される、第３の立壁とを備える。そして、前記第２の立壁と前記第３の立壁とは、先端側ほど離れるように拡がって、それら両立壁の先端部間の離間寸法が、基端部間の離間寸法よりも大きくなっている。
【０００７】
これにより、複数のコンクリートブロックを設置面上に並べて配置し、互いに連結すると、内部に水を溜めることができる貯水室が複数隣接して並ぶ貯水部を形成することができる。ここで、コンクリートブロックが第１ないし第３の３つの立壁を有するので、例えば、第２の立壁の先端部を他のコンクリートブロックの第１の立壁と第３の立壁との交差部もしくはその近辺部に連結し、第３の立壁の先端部をさらに他のコンクリートブロックの第１の立壁と第２の立壁との交差部もしくはその近辺部に連結することによって、貯水部は、六角柱形状の貯水室が隣接して並んだ、蜂の巣形状を呈する構造体を備えることとなるので、上方からの負荷に対して強固なものとなる。したがって、この貯水部上に地下貯水槽の上壁を形成することで、地下貯水槽は、上方からの負荷に対して大きな強度を有することとなる。
【０００８】
また、請求項２に記載の発明に係るコンクリートブロックのように、請求項１に記載のコンクリートブロックにおいて、前記第１、第２および第３の立壁のうち少なくとも２つの立壁には、その立壁を表裏方向に貫通する貫通部が設けられているのが望ましい。これによれば、複数のコンクリートブロックを連結することで、六角柱形状の貯水室が貫通部を介して互いに連通するように並ぶ貯水部を形成することができる。したがって、地下貯水槽のいずれかの箇所に、その地下貯水槽の外部の雨水等を取り込む取水部があれば、取水部から取り込まれた雨水は、貯水部全体に満遍なく行き渡る。
【０００９】
また、請求項３に記載の発明に係るコンクリートブロックのように、請求項２に記載のコンクリートブロックにおいて、前記貫通部は、前記立壁の下端において下方に開放しているのが望ましい。これによれば、地下貯水槽内に溜めた雨水等を地下貯水槽外に排出する際に、その地下貯水槽の底部に雨水等が残ることがない。
【００１０】
また、請求項４に記載のコンクリートブロックのように、請求項１ないし３のいずれか１項に記載のコンクリートブロックにおいて、前記第２の立壁の端面からなる第１の当接面は、前記第３の立壁の外面と平行であり、かつ、前記第３の立壁の端面からなる第２の当接面は、前記第２の立壁の外面と平行であってもよい。これによれば、一のコンクリートブロックの第１の当接面または第２の当接面を、他のコンクリートブロックの第１ないし第３の立壁のいずれか１つの立壁の外面に当接させると、そのいずれか１つの立壁が、前記一のコンクリートブロックの第３の立壁または第２の立壁と平行することとなる。したがって、例えば、第１の当接面が、他のコンクリートブロックの第３の立壁の基端部の外面と当接し、第２の当接面が、他のコンクリートブロックの第２の立壁の基端部の外面と当接するようにして、他のコンクリートブロックと連結していくと、六角柱形状の貯水室が隣接して並んで、蜂の巣形状を呈する構造体を備えた貯水部を形成することができる。
【００１１】
また、請求項５に記載の発明に係るコンクリートブロックのように、請求項１ないし３のいずれか１項に記載のコンクリートブロックにおいて、前記第２の立壁の端面からなる第１の当接面、および、前記第３の立壁の端面からなる第２の当接面は、前記第１の立壁の外面と平行であってもよい。これによれば、一のコンクリートブロックの第１の当接面または第２の当接面を、他のコンクリートブロックの第１ないし第３の立壁のいずれか１つの立壁の外面に当接させると、そのいずれか１つの立壁が、前記一のコンクリートブロックの第１の立壁と平行することとなる。したがって、例えば、第１の当接面が、他のコンクリートブロックの第１の立壁における第３の立壁側の側端部の外面と当接し、第２の当接面が、他のコンクリートブロックの第１の立壁における第２の立壁側の側端部の外面と当接するようにして、他のコンクリートブロックと連結していくと、六角柱形状の貯水室が隣接して並んで、蜂の巣形状を呈する構造体を備えた貯水部を形成することができる。
【００１２】
また、請求項６に記載の発明に係るコンクリートブロックのように、請求項４または５に記載のコンクリートブロックにおいて、前記第２の立壁の、先端部の内面および基端部の外面、並びに、前記第３の立壁の、先端部の内面および基端部の外面には、前記他のコンクリートブロックと連結するための連結具が取り付けられる取付部が設けられてもよい。これによれば、連結具を一のコンクリートブロックの取付部と他のコンクリートブロックの取付部とのそれぞれに跨って取り付けることで、前記二つのコンクリートブロックは互いに連結される。
【００１３】
また、請求項７に記載の発明に係るコンクリートブロックのように、請求項４または５に記載のコンクリートブロックにおいて、前記第１の立壁の両側端部の外面、並びに、前記第２の立壁および前記第３の立壁の先端側の外面には、前記他のコンクリートブロックと連結するための連結具が取り付けられる取付部が設けられていてもよい。これによれば、連結具を一のコンクリートブロックの取付部と他のコンクリートブロックの取付部とのそれぞれに跨って取り付けることで、前記二つのコンクリートブロックは互いに連結される。
【００１４】
また、請求項８に記載の発明に係るコンクリートブロックのように、請求項４または５に記載のコンクリートブロックにおいて、前記第１の立壁の前記一方の側端部の外面、前記第２の立壁の先端部の内面、並びに、前記第３の立壁の先端部および基端部の外面には、前記他のコンクリートブロックと連結するための連結具が取り付けられる取付部が設けられてもよい。これによれば、連結具を一のコンクリートブロックの取付部と他のコンクリートブロックの取付部とのそれぞれに跨って取り付けることで、前記二つのコンクリートブロックは互いに連結される。
【００１５】
また、請求項９に記載の発明に係るコンクリートブロックのように、請求項４または５に記載のコンクリートブロックにおいて、前記第１の立壁の前記他方の側端部の外面、前記第２の立壁の先端部および基端部の外面、並びに、前記第３の立壁の先端部の内面には、前記他のコンクリートブロックと連結するための連結具が取り付けられる取付部が設けられていてもよい。これによれば、連結具を一のコンクリートブロックの取付部と他のコンクリートブロックの取付部とのそれぞれに跨って取り付けることで、前記二つのコンクリートブロックは互いに連結される。
【００１６】
請求項１０に記載の発明に係るコンクリートブロックの連結構造は、請求項４に記載のコンクリートブロックの連結構造であって、前記第１の当接面を、他のコンクリートブロックにおける前記第３の立壁の基端部側の外面に当接させるか、もしくは、前記第２の当接面を、前記他のコンクリートブロックにおける前記第２の立壁の基端部側の外面に当接させるようにして、前記他のコンクリートブロックと連結するか、または、前記第１の当接面を、前記他のコンクリートブロックにおける前記第３の立壁の基端部側の外面に当接させ、かつ、第２の当接面を、さらに他のコンクリートブロックにおける前記第２の立壁の基端部側の外面に当接させるようにして、前記他のコンクリートブロックおよびさらに他のコンクリートブロックの両方と連結することを特徴としている。このように、コンクリートブロックを規則的に配列し、連結することで、簡単に貯水部を形成することができる。
【００１７】
請求項１１に記載の発明に係るコンクリートブロックの連結構造は、請求項５に記載のコンクリートブロックの連結構造であって、前記第１の当接面を、他のコンクリートブロックにおける前記第１の立壁の前記他方の側端部側の外面に当接させるか、もしくは、前記第２の当接面を、前記他のコンクリートブロックにおける前記第１の立壁の前記一方の側端部側の外面に当接させるようにして、前記他のコンクリートブロックと連結するか、または、前記第１の当接面を、前記他のコンクリートブロックにおける前記第１の立壁の前記他方の側端部側の外面に当接させ、かつ、前記第２の当接面を、さらに他のコンクリートブロックにおける前記第１の立壁の前記一方の側端部側の外面に当接させるようにして、前記他のコンクリートブロックおよびさらに他のコンクリートブロックの両方と連結することを特徴としている。このように、コンクリートブロックを規則的に配列し、連結することで、簡単に貯水部を形成することができる。
【００１８】
請求項１２に記載の発明に係る地下貯水槽は、地中に埋設される地下貯水槽である。この地下貯水槽は、内部に水を貯えることができる多角柱形状の貯水室が複数隣接して並んだコンクリート製の構造体を備えた貯水部を有する。ここで、その貯水部は、前記地下貯水槽の上壁を下方から支持する。このように、前記構造体は、多角柱形状の貯水室が複数隣接して並んで形成されているので、上方からの負荷に対して強度を有する。そして、地下貯水槽の上壁が、前記構造体を備えた貯水部によって下方から支持されるので、地下貯水槽は、上方からの負荷に対して強度を有することとなる。
【００１９】
請求項１３に記載の発明に係る地下貯水槽は、請求項１２に記載の地下貯水槽において、前記構造体は、内部に水を貯えることができる六角柱形状の貯水室が複数隣接して並んだ、蜂の巣形状を呈するのが望ましい。これによれば、構造体が蜂の巣形状を呈することで、上方からの負荷に対して大きな強度を有することとなるので、地下貯水槽は、上方からの負荷に対して大きな強度を有するものとなる。
【００２０】
また、請求項１４に記載の発明に係る地下貯水槽は、請求項１３に記載の地下貯水槽において、前記構造体は、請求項１ないし８のいずれか１項に記載のコンクリートブロックが複数相互に連結されて形成されてもよい。
【発明の効果】
【００２１】
この発明に係るコンクリートブロックおよびそのコンクリートブロックの連結構造によれば、貯水部を、六角柱形状の貯水室が複数隣接して並んだ、蜂の巣形状を呈する構造体を備えるように形成することができるので、上方からの負荷に対して大きな強度を備える貯水部を形成することができる。
【００２２】
この発明に係る地下貯水槽によれば、上壁が、多角柱形状の貯水室が複数隣接して並んだコンクリート製の構造体を備えた貯水部によって支持されるので、上方からの負荷に対して強度を備える。
【発明を実施するための最良の形態】
【００２３】
以下、この発明に係るコンクリートブロック、そのコンクリートブロックの連結構造、および、地下貯水槽を実施するための最良の形態を図面に基づき説明する。
【００２４】
図１ないし図６は、本発明の一実施の形態を示す。図中符号１は、駐車場とか公園等における地面である。２は、その地面１下の地中である。３は、地中２に埋設される地下貯水槽である。
【００２５】
地下貯水槽３は、内部に水を貯えることができる多角柱形状、図示実施の形態においては、六角柱形状の貯水室Ｔが複数隣接して並んだ、言わば蜂の巣形状を呈するコンクリート製の構造体６（以下、単に構造体６と称す。）を備えた貯水部４を有する。具体的には、地下貯水槽３は、地中２に掘削形成された貯水槽設置現場の設置面２ａ上に、例えば現場打ちコンクリート等によって形成される底壁（床版）Ｓと、その底壁（床版）Ｓ上に配置される前記貯水部４と、その貯水部４上に配置される、例えばコンクリート製の上壁５とからなっている。図示実施の形態においては、貯水部４は、前記構造体６と、地下貯水槽３の外周壁となる、前記構造体６の周囲を全周にわたって囲う周壁７とを備えており、前記六角柱形状の貯水室Ｔ、Ｔと、前記構造体６と周壁７とで囲まれてなる、貯水室Ｔ１、Ｔ１、Ｔ２、Ｔ２とが連続して並ぶように形成されている（ここで、貯水室Ｔ１、Ｔ１および貯水室Ｔ２、Ｔ２は、図６に示すように、六角柱形状を呈していない。なお、貯水室Ｔ１、Ｔ１および貯水室Ｔ２、Ｔ２は、周壁７の形状によって様々な形状を呈することはいうまでもない。）。また、上壁５は、構造体６の上端および周壁７の上端に載置固定されるように貯水部４上に配置されている。すなわち、貯水部４は、上壁５を下方から支持できるようになっている。さらに、前記構造体６は、同一の形状からなる複数のコンクリートブロック１０、１０が、後述する連結具２０、２０によって、相互に連結されて形成されている。なお、周壁７には、地下貯水槽４の外部の雨水等を内部に取り込むための取水部（図示せず）、および、地下貯水槽３の内部に溜められた前記雨水等を、その外部に排出するための排出部（図示せず）が設けられており、これにより、雨水を地下貯水槽３内に溜め、ゆっくりと排出することができるようになっている。
【００２６】
コンクリートブロック１０は、地下貯水槽３の貯水部４を形成すべく、隣接する他のコンクリートブロック１０と連結されるものであって、第１の立壁１１と、その第１の立壁１１の一方の側端部１１ａから、前記第１の立壁の表裏方向（図３においては、上下方向）のいずれか一方の方向（図３においては、下方向）に、所定の角度１４を有して折れ曲がるように延設される第２の立壁１２と、前記第１の立壁１１の他方の側端部１１ｂから、前記第２の立壁１２が折れ曲がる方向と同一方向（図３においては、下方向）に、所定の角度１５（図示実施の形態においては、所定の角度１５は、後述するように、所定の角度１４と同一となっている。）を有して折れ曲がるように延設される第３の立壁１３とを備える。ここで、第２の立壁１２と第３の立壁１３とは、先端側ほど離れるように拡がって、それら両立壁１２、１３の先端部１２ａ、１３ａ間の離間寸法が、基端部１２ｂ、１３ｂ間の離間寸法よりも大きくなっている。
【００２７】
具体的には、第１の立壁１１は、例えば、全体的に同一の厚み寸法を備えた、板形状を呈している。また、第２の立壁１２は、例えば、その厚み寸法が先端側ほど小さくなるような板形状を呈し、その外面と前記第１の立壁１１の外面とが挟む角１４ａが、前記所要の角度１４となっている。この所要の角度１４は、図示実施の形態においては、約１２０度となっている。また、第３の立壁１３は、前記第２の立壁１２と同様に、その厚み寸法が先端側ほど小さくなるような板形状を呈し、第３の立壁１３の外面と前記第１の立壁１１の外面とが挟む角１５ａが、前記所要の角度１４と同一の角度からなる所要の角度１５、すなわち、図示実施の形態においては約１２０度となっている。
【００２８】
そして、前記第１の立壁１１、第２の立壁１２および第３の立壁１３のうちの少なくとも２つの立壁、図示実施の形態においては、前記第１の立壁１１、第２の立壁１２および第３の立壁１３の全ての立壁には、その立壁を表裏方向に貫通する貫通部１６、１６が設けられている。これらの貫通部１６、１６は、図示実施の形態においては、前記立壁の下端において下方に開放している。具体的には、貫通部１６、１６は、それぞれの立壁の下端から上方に窪むように形成された、略半円形状の切り欠き１６ａ、１６ａからなっている。
【００２９】
また、コンクリートブロック１０の第２の立壁１２の端面（詳しくは、先端面）は、前記他のコンクリートブロック１０との連結の際に、その他のコンクリートブロック１０と当接する第１の当接面１７となっている。一方、コンクリートブロック１０の第３の立壁１３の端面（詳しくは、先端面）は、他のコンクリートブロック１０との連結の際に、その他のコンクリートブロック１０と当接する第２の当接面１８となっている。図示実施の形態においては、前記第２の立壁１２の端面（先端面）からなる前記第１の当接面１７、および、前記第３の立壁１３の端面（先端面）からなる前記第２の当接面１８は、コンクリートブロック１０の第１の立壁１１の外面１１ｃと平行になっている。
【００３０】
さらに、コンクリートブロック１０には、前記他のコンクリートブロック１０と連結するための連結具２０、２０が取り付けられる取付部１９、１９が設けられている。図示実施の形態においては、取付部１９、１９は、第２の立壁１２の先端部１２ａの内面および基端部１２ｂの外面、並びに、第３の立壁１３の先端部１３ａの内面および基端部１３ｂの外面に設けられている。詳細には、取付部１９、１９は、前記第２の立壁１２の先端部１２ａおよび基端部１２ｂ、並びに、第３の立壁１３の先端部１３ａおよび基端部１３ｂのそれぞれに、二つずつ上下に離れて並ぶように埋め込まれる、インサートナット１９ａ、１９ａからなっている。ここで、前記第２の立壁１２の先端部１２ａおよび第３の立壁１３の先端部１３ａに埋め込まれるインサートナット１９ａ、１９ａの雌ネジ孔は、それぞれ第２、第３の立壁１２、１３の内面側に開口しており、前記第２の立壁１２ａの基端部１２ｂおよび第３の立壁１３の基端部１３ｂに埋め込まれるインサートナット１９ａ、１９ａの雌ネジ孔は、それぞれ第２、第３の立壁１２、１３の外面側に開口している。一方、連結具２０は、二つのコンクリートブロック１０、１０の両者に掛け渡される、「く」の字形状を呈する、例えば金属製の連結プレート２０ａと、その連結プレート２０ａを取付部１９、１９に固着するための固着具としての、インサートナット１９ａ、１９ａと螺合するボルト２０ｂ、２０ｂとからなる。
【００３１】
次に、コンクリートブロック１０の連結構造について説明する。このコンクリートブロック１０は、第１の当接面１７が、他のコンクリートブロック１０における第１の立壁１１の他方の側端部１１ｂ側の外面に当接するか、もしくは、第２の当接面１８が、他のコンクリートブロック１０における前記第１の立壁１１の一方の側端部１１ａ側の外面に当接するようにして、前記他のコンクリートブロック１０と連結されるか、または、前記第１の当接面１７が、前記他のコンクリートブロック１０における前記第１の立壁１１の前記他方の側端部１１ｂ側の外面に当接し、かつ、前記第２の当接面１８が、さらに他のコンクリートブロック１０における前記第１の立壁１１の前記一方の側端部１１ａ側の外面に当接するようにして、前記他のコンクリートブロック１０およびさらに他のコンクリートブロック１０の両方と連結される。
【００３２】
図示実施の形態においては、図６に示すように、前記コンクリートブロック１０としての、貯水部４の一側端部を構成するコンクリートブロック１０２は、その第１の当接面１７が、前記他のコンクリートブロック１０としてのコンクリートブロック１００における第１の立壁１１の他方の側端部１１ｂ側の外面に当接するようにして、前記コンクリートブロック１００に、連結具２０によって連結されている。一方、前記コンクリートブロック１０としての、前記コンクリートブロック１０２よりも貯水部４の内側部分を構成するコンクリートブロック１００は、その第１の当接面１７が、他のコンクリートブロック１０としてのコンクリートブロック１０１における第１の立壁１１の他方の側端部１１ｂ側の外面に当接し、かつ、その第２の当接面１８が、さらに他のコンクリートブロック１０としてのコンクリートブロック１０２における第１の立壁１１の一方の側端部１１ａ側の外面に当接するようにして、前記コンクリートブロック１０１、１０２の両方に、連結具２０、２０によって連結されている。
【００３３】
次に、以上の構成からなるコンクリートブロック１０、コンクリートブロック１０の連結構造、および、地下貯水槽３の作用効果について説明する。このコンクリートブロック１０は、第１の立壁１１、第２の立壁１２、および、第３の立壁１３の３つの立壁を有するので、コンクリートブロック１０の第２の立壁１２の先端部１２ａを他のコンクリートブロック１０の第１の立壁１１と第３の立壁１３との交差部もしくはその近辺部に連結し、第３の立壁１３の先端部１３ａをさらに他のコンクリートブロック１０の第１の立壁１１と第２の立壁１２との交差部もしくはその近辺部に連結する。そして、この連結をコンクリートブロック１０、１０相互間において連続的に繰り返すことによって、六角柱形状（図示実施の形態においては、正六角柱形状とはなっていないが、正六角柱形状であってもよいことは勿論である。）の貯水室Ｔが複数隣接して並んだ、すなわち、六角柱形状の貯水室Ｔ、Ｔが連続する、蜂の巣形状を呈する構造体６を備えた貯水部４を形成することができる。ところで、コンクリートブロック１０の第１および第２の当接面１７、１８は、第１の立壁１１の外面１１ｃに平行であるので、一のコンクリートブロック１０の第１の当接面１７または第２の当接面１８を、他のコンクリートブロック１０の第１の立壁１１、第２の立壁１２、あるいは第３の立壁１３のいずれか１つの立壁の外面に当接させると、そのいずれか１つの立壁が、一のコンクリートブロック１０の第１の立壁１１と平行することとなる。したがって、蜂の巣形状を呈する構造体６を形成するには、図６に示すように、一のコンクリートブロック１０（１００）の、第１の当接部１７が、他のコンクリートブロック１０（１０１）における第１の立壁１１の他方の側端部１１ｂ側の外面に当接し、そして、第２の当接部１８が、さらに他のコンクリートブロック１０（１０２）における第１の立壁１１の一方の側端部１１ａ側の外面に当接するように、複数のコンクリートブロック１０、１０を規則的に配列し、連結具２０、２０によって連結すればよいので、その構造体６の形成が簡単となり、ひいては、蜂の巣形状を呈する構造体６を備える貯水部４の形成が簡単になる。また、貯水部４は、前述のとおり、蜂の巣形状を呈する構造体６を備えるので、上方からの負荷に対して強固なものとなる。
【００３４】
そして、地下貯水槽３は、その上壁５が前記貯水部４上に配置されるようにして形成されているので、その上壁５は、前記貯水部４によって、下方から支持されることとなる。したがって、地下貯水槽３は、上方からの負荷に対して大きな強度を有することとなる。
【００３５】
また、コンクリートブロック１０の第１の立壁１１、第２の立壁１２、および、第３の立壁１３のそれぞれに貫通部１６、１６が設けられていることから、隣接して並ぶ複数の貯水室Ｔ、Ｔ、Ｔ１、Ｔ１、Ｔ２、Ｔ２は、その全てが貫通部１６、１６を介して互いに連通することとなる。したがって、周壁６に設けられた取水部によって、地下貯水槽３の外部から、その内部に取り込まれた雨水等は、貫通部１６、１６を介して、複数の貯水室Ｔ、Ｔ、Ｔ１、Ｔ１、Ｔ２、Ｔ２の全てに、すなわち、貯水部４の全体に満遍なく行き渡り、その内部に溜められる。また、貫通部１６、１６が、立壁の下端において下方に開放することから、地下貯水槽３内に溜められた雨水等を周壁６に設けられた排出部から排出すれば、その雨水等を、貯水室Ｔ、Ｔ、Ｔ１、Ｔ１、Ｔ２、Ｔ２の底部に残すことなく、すなわち、地下貯水槽３内に残すことなく、完全に排出することができる。
【００３６】
なお、本発明は、上述した実施の形態に限定されるわけではなく、その他種々の変更が可能である。例えば、コンクリートブロック１０の連結部１９、１９は、図７に示すように、第１の立壁１１の両側端部１１ａ、１１ｂの外面、並びに、第２の立壁１２および第３の立壁１３の外面に設けられていてもよいし、図８に示すように、第１の立壁１１の一方の側端部１１ａの外面、第２の立壁１２の先端部１２ａの内面、並びに、第３の立壁１３の先端部１３ａおよび基端部１３ｂの外面に設けられてよいし、あるいは、図９に示すように、第１の立壁１１の他方の側端部１１ｂの外面、第２の立壁１２の先端部１２ａおよび基端部１２ｂの外面、並びに、第３の立壁１３の先端部１３ａの内面に設けられてもよい。
【００３７】
また、コンクリートブロック１０は、図１０に示すように、第１の当接面１７が、第３の立壁１３の外面１３ｃに平行であり、かつ、第２の当接面１８が、第２の立壁１２の外面１２ｃに平行であるように形成されていてもよい。これによれば、一のコンクリートブロック１０の第１の当接面１７または第２の当接面１８を、他のコンクリートブロック１０の第１の立壁１１、第２の立壁１２または第３の立壁１３のいずれか１つの立壁の外面に当接させると、そのいずれか１つの立壁が、前記一のコンクリートブロック１０の第３の立壁１３または第２の立壁１２と平行することとなる。したがって、図１１に示すように、一のコンクリートブロック１０（１００）の、第１の当接部１７が、他のコンクリートブロック１０（１０１）における第３の立壁１３の基端部１３ｂ側の外面に当接し、そして、第２の当接部１８が、さらに他のコンクリートブロック１０（１０２）における第２の立壁１２の基端部１２ｂ側の外面に当接するように、複数のコンクリートブロック１０、１０を規則的に配列し、連結具２０、２０によって連結することで、六角柱形状（図示実施の形態においては、正六角柱形状とはなっていないが、正六角柱形状であってもよいことは勿論である。）の貯水室Ｔが複数隣接して並ぶ、蜂の巣形状を呈する構造体６を備えた貯水部４を簡単に形成することができる。この実施の形態に示されるコンクリートブロック１０においても、その連結部１９、１９は、第１の立壁１１の両側端部１１ａ、１１ｂの外面、並びに、第２の立壁１２および第３の立壁１３の外面に設けられていてもよい。また、第１の立壁１１の一方の側端部１１ａの外面、第２の立壁１２の先端部１２ａの内面、並びに、第３の立壁１３の先端部１３ａおよび基端部１３ｂの外面に設けられてよい。また、第１の立壁１１の他方の側端部１１ｂの外面、第２の立壁１２の先端部１２ａおよび基端部１２ｂの外面、並びに、第３の立壁１３の先端部１３ａの内面に設けられてもよい。
【００３８】
また、図示実施の形態においては、第１の立壁１１は、全体的に同一の厚み寸法を備え、第２の立壁１２および第３の立壁１３は、先端側ほど小さい厚み寸法を備えるものとなっているが、例えば、第１の立壁１１、第２の立壁１２および第３の立壁１３の全てが、いずれも全体的に同一の厚み寸法を備えるものであってもよいなど、図示実施の形態に限定されないことは言うまでもない。
【００３９】
また、貫通部１６、１６は、全ての貯水室Ｔ、Ｔ、Ｔ１、Ｔ１、Ｔ２、Ｔ２が相互に連通できるように設けられるものであって、第１、第２および第３の立壁１１、１２、１３のうちの少なくとも二つの立壁に設けられればよい。また、貫通部１６の形状も、例えば、円形状あるいは角形状の孔であってもよく、図示のような半円形状の切り欠き１６ａに限定されないことは言うまでもない。さらには、コンクリートブロック１０、１０が、それらの連結部分において、間隙を形成するように連結されるときには、必ずしも貫通部１６、１６は設けられなくてもよい。
【００４０】
また、所定の角度１４、１５は、図示実施の形態においては、１２０度となっているが、必ずしもこれに限定されるわけではなく、その他の角度であっても構わない。また、所定の角度１４、１５は、同一の角度となっているが、それぞれ異なる角度であってもよい。
【００４１】
また、地下貯水槽３は、図示実施の形態においては、設置現場の設置面２ａ上に現場打ちコンクリート等により形成される底壁（底版）Ｓを備えているが、設置面２ａ上に底壁（床版）Ｓを形成することなく、設置現場の設置面２ａ上に直接、あるいは、基礎ブロック等を介して、コンクリートブロック１０、１０および周壁６を配置するようにしてもよい。この場合、雨水等は、地下貯水槽３に一時的に溜められ、時間の経過とともに徐々に、設置面２ａから地中２に浸透していくことになる。
【００４２】
また、図示実施の形態においては、構造体６は、六角柱形状の貯水室Ｔが複数隣接して並ぶようにして構成されているが、この構造体６は、同一形状からなる複数のコンクリートブロックを連結具により相互に連結することによって、六角柱形状以外の、例えば、三角柱形状、四角柱形状、八角柱形状などのその他の多角柱形状の貯水室Ｔが複数隣接して並ぶようにして構成されていてもよい。例えば、構造体６を八角柱形状の貯水室Ｔが複数隣接して並ぶように構成するには、図１２に示すようなコンクリートブロック３０を連結具２０によって連結すればよい。具体的には、コンクリートブロック３０は、四角筒部３１と、その四角筒部３１の互いに向かい合う角部３１ａ、３１ａから外方に向かって延びる二つ翼壁３２、３２とを備えている。また、四角筒部３１（詳しくは、四角筒部３１の４つの側壁のそれぞれ）および翼壁３２、３２には、貫通部１６、１６（詳しくは、略半円形状の切り欠き１６ａ、１６ａ）が形成されている。そして、図１３に示すように、このコンクリートブロック３０を、その翼壁３２、３２の先端面が、同一形状からなる他のコンクリートブロック３０、３０の四角筒部３１、３１の、翼壁３２、３２が設けられていない角部３１ｂ、３１ｂに当接するように配置し、連結具２０によって連結する。なお、構造体６の端部を構成する一部のコンクリートブロック３０（３００）は、その翼壁３２、３２のうちのいずれか一方のみが他のコンクリートブロック３０と当接するように配置されている。これにより、構造体６は、複数の八角柱形状の貯水室Ｔ、Ｔと、コンクリートブロック３０、３０の四角筒部３１、３１からなる複数の四角柱形状の貯水室Ｔ３、Ｔ３とが、互いに貫通部１６、１６を介して連通するように隣接して並ぶこととなる。そして、貯水部４は、前記貯水室Ｔ、Ｔ、Ｔ３、Ｔ３、および、前記構造体６と周壁７とで囲まれてなる、貯水室Ｔ４、Ｔ４が連続して並ぶように形成されることとなる。
【図面の簡単な説明】
【００４３】
【図１】この発明に係る地下貯水槽およびコンクリートブロックの連結構造の一実施の形態の断面図である。
【図２】同じく、地下貯水槽の一部切り欠き斜視図である。
【図３】この発明に係るコンクリートブロックの一実施の形態の平面図である。
【図４】同じく、正面図である。
【図５】同じく、斜視図である。
【図６】この発明に係るコンクリートブロックの連結構造の一実施の形態の平面図である。
【図７】この発明にかかるコンクリートブロックの他の実施の形態の平面図である。
【図８】この発明にかかるコンクリートブロックのさらに他の実施の形態の平面図である。
【図９】この発明にかかるコンクリートブロックのさらに他の実施の形態の平面図である。
【図１０】この発明にかかるコンクリートブロックのさらに他の実施の形態の平面図である。
【図１１】図１０で示すコンクリートブロックの連結構造の、図６相当図である。
【図１２】この発明にかかるコンクリートブロックのさらに他の実施の形態の斜視図である。
【図１３】図１２で示すコンクリートブロックの連結構造の、図６相当図である。
【符号の説明】
【００４４】
２    地中
３    地下貯水槽
４    貯水部
５    上壁
６    構造体
１０  コンクリートブロック
１１  第１の立壁
１１ａ  一方の側端部
１１ｂ  他方の側端部
１１ｃ  第１の立壁の外面
１２  第２の立壁
１２ａ  第２の立壁の先端部
１２ｂ  第２の立壁の基端部
１２ｃ  第２の立壁の外面
１３  第３の立壁
１３ａ  第３の立壁の先端部
１３ｂ  第３の立壁の基端部
１３ｃ  第３の立壁の外面
１４、１５  所定の角度
１６  貫通部
１７  第１の当接面
１８  第２の当接面
１９  取付部
２０  連結具
Ｔ    貯水室
【図１】
2006097365.tif 000003
【図２】
2006097365.tif 000004
【図３】
2006097365.tif 000005
【図４】
2006097365.tif 000006
【図５】
2006097365.tif 000007
【図６】
2006097365.tif 000008
【図７】
2006097365.tif 000009
【図８】
2006097365.tif 000010
【図９】
2006097365.tif 000011
【図１０】
2006097365.tif 000012
【図１１】
2006097365.tif 000013
【図１２】
2006097365.tif 000014
【図１３】
2006097365.tif 000015